(57)【要約】【課題】  画像形成部及び電気基板を収納する下側筐体、及び当該下側筐体に変位可能な上側筐体を有し、かつ、パネルカバーが上側筐体に組み付けられた画像形成装置において、液体が下側筐体内に侵入してしまうことを抑制する。【解決手段】  排水ダクト部１５に下側筐体３（サイドカバー３Ａ）の内壁面側と電気基板７Ｂ側とを仕切る仕切壁１５Ｃを設ける。これにより、入水口１５Ａに入水した液体は、矢印Ａ２で示されるように、排水口１５Ｂに集合するように排水口１５Ｂに導かれる。このとき、仕切壁１５Ｃが設けられているので、電気基板が被水することを確実に抑制しながら、液体を下側筐体３外に排水することができる。したがって、液体が下側筐体３内に侵入してしまうことを抑制できる。【選択図】図１５
2016138991.tif 000002
【特許請求の範囲】
【請求項１】
シートに画像を形成する画像形成部と、
前記画像形成部及び電気基板を収納する下側筐体であって、鉛直方向上方側に開口部を有する下側筐体と、
前記下側筐体に連結された上側筐体であって、前記開口部を覆う位置と当該開口部を開放する位置との間で変位可能な上側筐体と、
前記上側筐体に設けられた操作パネルの一部を構成するパネルカバーであって、前記上側筐体に組み付けられたパネルカバーと、
前記下側筐体の内壁面側に設けられた排水ダクト部であって、前記開口部側において鉛直方向上側に向けて開口した入水口、及び前記下側筐体の側壁のうち前記操作パネル側の側壁で開口した排水口を有し、前記入水口に入水した液体を前記排水口に導く排水ダクト部とを具備し、
前記入水口は、前記パネルカバーと前記上側筐体との継ぎ目に形成される溝部の鉛直方向下方側の位置を含む範囲で開口しており、
さらに、前記排水ダクト部のうち前記入水口から前記排水口に至る部位には、前記下側筐体の内壁面側と前記電気基板側とを仕切る仕切壁が設けられていることを特徴とする画像形成装置。
【請求項２】
前記上側筐体には、原稿の画像を読み取る読取部が設けられており、
前記溝部は、前記読取部の一部を構成する読取部カバーと前記パネルカバーとの継ぎ目に形成されていることを特徴とする請求項１に記載の画像形成装置。
【請求項３】
前記排水ダクト部は、前記排水口側に向けて水平方向に延びる樋状の液溜め部であって、「前記入水口に対向するように当該入水口より鉛直方向下側に設けられた底部」、「前記仕切壁」及び「前記下側筐体の内壁面」を有して構成された液溜め部を備えており、
前記排水口側を前記液溜め部の延び方向一端側としたとき、
前記液溜め部の深さ寸法のうち、延び方向一端側の深さ寸法は延び方向他端側の深さ寸法より大きいことを特徴とする請求項１又は２に記載の画像形成装置。
【請求項４】
前記液溜め部の延び方向一端側に設けられた転向部材であって、前記液溜め部から排水された液体を鉛直方向下方側に転向させる転向部材を具備することを特徴とする請求項３に記載の画像形成装置。
【請求項５】
前記液溜め部の延び方向一端側は、前記転向部材により閉塞された構造となっており、
さらに、前記底部のうち前記液溜め部の延び方向一端側に前記排水口が設けられていることを特徴とする請求項４に記載の画像形成装置。
【請求項６】
前記排水口より鉛直方向下方側には、当該排水口から排水された液体を下方側に案内する壁部が設けられていることを特徴とする請求項５に記載の画像形成装置。
【請求項７】
シートに画像を形成する画像形成部と、
前記画像形成部及び電気基板を収納する下側筐体であって、鉛直方向上方側に開口部を有する下側筐体と、
前記下側筐体に連結され、原稿の画像を読み取る読取部、及び当該読取部の一部を構成する読取部カバーを有する上側筐体であって、前記開口部を覆う位置と当該開口部を開放する位置との間で変位可能な上側筐体と、
前記上側筐体に設けられた操作パネルの一部を構成するパネルカバーであって、前記上側筐体に組み付けられたパネルカバーと、
前記下側筐体の内壁面側に設けられた排水ダクト部であって、前記開口部側において鉛直方向上側に向けて開口した入水口、及び前記下側筐体の側壁のうち前記操作パネル側の側壁で開口した排水口を有し、前記入水口に入水した液体を前記排水口に導く排水ダクト部とを具備し、
前記入水口は、前記パネルカバーと前記読取部カバーとの継ぎ目に形成される溝部の鉛直方向下方側の位置を含む範囲で開口しており、
前記排水ダクト部は、前記排水口側に向けて水平方向に延びる樋状の液溜め部であって、「前記入水口に対向するように当該入水口より鉛直方向下側に設けられた底部」、「前記排水ダクト部のうち前記入水口から前記排水口に至る部位に設けられ、前記下側筐体の内壁面側と前記電気基板側とを仕切る仕切壁」及び「前記下側筐体の内壁面」を有して構成された液溜め部を備えており、
前記排水口側を前記液溜め部の延び方向一端側としたとき、
前記液溜め部の延び方向一端側には、前記液溜め部から排水された液体を鉛直方向下方側に転向させる転向部材が設けられ、
前記転向部材により前記液溜め部の延び方向一端側が閉塞された構造となっており、
前記底部のうち前記液溜め部の延び方向一端側に前記排水口が設けられ、
前記排水口より鉛直方向下方側には、当該排水口から排水された液体を下方側に案内する壁部が設けられていることを特徴とする画像形成装置。
【請求項８】
前記液溜め部の深さ寸法のうち、延び方向一端側の深さ寸法は延び方向他端側の深さ寸法より大きいことを特徴とする請求項７に記載の画像形成装置。
【発明の詳細な説明】
【技術分野】
【０００１】
本発明は、シートに画像を形成する画像形成装置に関する。
【背景技術】
【０００２】
例えば、特許文献１に記載の画像形成装置では、操作パネルの意匠面がパネルカバーにて構成されている。当該パネルカバーは、筐体と別部材として成形された後、当該筐体に組み付けられている。
【先行技術文献】
【特許文献】
【０００３】
【特許文献１】特開２０１２−２０３９８９号公報
【発明の概要】
【発明が解決しようとする課題】
【０００４】
特許文献１に係るパネルカバーは、筐体と別部材として成形された後、当該筐体に組み付けられているので、パネルカバーと筐体との継ぎ目に溝状の隙間が生じてしまう。このため、画像形成装置の上面にコーヒ等の液体が溢れた場合、当該液体は上記溝状の隙間を流れて筐体の側面に到達した後、当該側面を伝って鉛直方向下方に流れる。
【０００５】
このとき、画像形成部及び電気基板を収納する下側筐体、及び当該下側筐体に変位可能な上側筐体にて上記筐体が構成されている画像形成装置においては、液体が上側筐体と下側筐体との合わせ面から下側筐体内に侵入してしまうおそれがある。
【０００６】
本発明は、上記点に鑑み、画像形成部及び電気基板を収納する下側筐体、及び当該下側筐体に変位可能な上側筐体を有し、かつ、パネルカバーが上側筐体に組み付けられた画像形成装置において、液体が下側筐体内に侵入してしまうことを抑制することを目的とする。
【課題を解決するための手段】
【０００７】
本願に係る発明では、シートに画像を形成する画像形成部（７Ａ）と、画像形成部（７Ａ）及び電気基板（７Ｂ）を収納する下側筐体（３）であって、鉛直方向上方側に開口部（３Ｃ）を有する下側筐体（３）と、下側筐体（３）に連結された上側筐体（５）であって、開口部（３Ｃ）を覆う位置と当該開口部（３Ｃ）を開放する位置との間で変位可能な上側筐体（５）と、上側筐体（５）に設けられた操作パネル（１１）の一部を構成するパネルカバー（１１Ｃ）であって、上側筐体（５）に組み付けられたパネルカバー（１１Ｃ）と、下側筐体（３）の内壁面側に設けられた排水ダクト部（１５）であって、開口部（３Ｃ）側において鉛直方向上側に向けて開口した入水口（１５Ａ）、及び下側筐体（３）の側壁のうち操作パネル（１１）側の側壁で開口した排水口（１５Ｂ）を有し、入水口（１５Ａ）に入水した液体を排水口（１５Ｂ）に導く排水ダクト部（１５）とを具備し、入水口（１５Ａ）は、パネルカバー（１１Ｃ）と上側筐体（５）との継ぎ目に形成される溝部（１４）の鉛直方向下方側の位置を含む範囲で開口しており、さらに、排水ダクト部（１５）のうち入水口（１５Ａ）から排水口（１５Ｂ）に至る部位には、下側筐体（３）の内壁面側と電気基板（７Ｂ）側とを仕切る仕切壁（１５Ｃ）が設けられている。
【０００８】
これにより、本願に係る発明では、電気基板（７Ｂ）が被水することを仕切壁（１５Ｃ）により確実に抑制しながら、液体を下側筐体（３）外に排水することができる。したがって、液体が下側筐体（３）内に侵入してしまうことを抑制できる。
【０００９】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１０】
【図１】画像形成装置１の外観斜視図である。
【図２】図１において原稿カバー１３Ｄを取り外した状態を示す図である。
【図３】画像形成装置１の上面図である。
【図４】図３のＡ−Ａ断面図である。
【図５】上側筐体５と下側筐体３と連結状態の説明図である。
【図６】上側筐体５と下側筐体３と連結状態の説明図である。
【図７】溝部１４の拡大図である。
【図８】排水口１５Ｂ周囲の拡大図である。
【図９】排水ダクト部１５を示す図である。
【図１０】排水ダクト部１５を示す図である。
【図１１】排水ダクト部１５を示す図である。
【図１２】排水ダクト部１５を示す図である。
【図１３】排水ダクト部１５を示す図である。
【図１４】排水口１５Ｂ周囲の拡大図である。
【図１５】排水ダクト部１５を示す図である。なお、矢印は液体の流れを示す。
【図１６】排水ダクト部１５を示す図である。なお、矢印は液体の流れを示す。
【図１７】排水ダクト部１５を示す図である。なお、矢印は液体の流れを示す。
【発明を実施するための形態】
【００１１】
以下に説明する「発明の実施形態」は実施形態の一例を示すものである。つまり、特許請求の範囲に記載された発明特定事項等は、下記の実施形態に示された具体的手段や構造等に限定されるものではない。
【００１２】
本実施形態は、画像読取装置（スキャナ）と印刷装置（プリンタ）とが一体化された画像形成装置に本発明を適用したものである。各図に付された方向を示す矢印等は、各図相互の関係を理解し易くするために記載したものである。本発明は、各図に付された方向に限定されるものではない。
【００１３】
少なくとも符号を付して説明した部材又は部位は、「複数」や「２つ以上」等の断りをした場合を除き、少なくとも１つ設けられている。以下、本発明の実施形態を図面と共に説明する。
【００１４】
（第１実施形態）
１．画像形成装置の概要
本実施形態に係る画像形成装置１は、図１に示すように、下側筐体３及び上側筐体５等を有する。下側筐体３には、図３に示す画像形成部７Ａ及び電気基板７Ｂが収納されている。画像形成部７Ａはシートに画像を形成する。電気基板７Ｂは、画像形成制御用基板又は電源用基板等である。
【００１５】
本実施形態に係る画像形成部７Ａは電子写真方式である。つまり、下側筐体３は印刷装置（プリンタ）を構成する。下側筐体３は、図４に示すように、サイドカバー３Ａ及びジョイントカバー３Ｂ、並びにフロントカバー３Ｄ（図１参照）等を有している。
【００１６】
サイドカバー３Ａは下側筐体３の側壁部を構成するとともに電気基板７Ｂを覆う。ジョイントカバー３Ｂは、サイドカバー３Ａの鉛直方向上方側に位置して上側筐体５と下側筐体３との接続部を構成する。
【００１７】
そして、下側筐体３は、上側筐体５と直接的に対向する部位に開口部３Ｃを有している。つまり、サイドカバー３Ａの上端部は、開口部３Ｃの外縁部を構成する。なお、図４では、開口部３Ｃがジョイントカバー３Ｂにより閉塞されているが如く描かれている。
【００１８】
しかし、ジョイントカバー３Ｂは、開口部３Ｃを液密に閉塞することはできない。このため、後述するように、上側筐体５に液体が溢れた場合には、開口部３Ｃのうちジョイントカバー３Ｂとサイドカバー３３との隙間３Ｆから当該液体が下側筐体３内に侵入してしまう。
【００１９】
フロントカバー３Ｄは、下側筐体３のうち操作パネル１１の鉛直方向下方側の部位を覆う。なお、フロントカバー３Ｄには、サイドカバー３Ａ及びジョイントカバー３Ｂ等の下側本体部に対して揺動変位可能である。
【００２０】
上側筐体５は下側筐体３に対して変位可能に連結されている。具体的には、上側筐体５は、開口部３Ｃを覆う位置（図５参照）と開口部３Ｃを開放する位置（図６参照）との間で変位可能である。
【００２１】
本実施形態に係る上側筐体５は、図３に示すように、下側筐体３の後方側に設けられた一対のヒンジ部９を介して下側筐体３に対して揺動可能に連結されている。なお、「後方側」とは、水平方向において操作パネル１１と反対側をいう。
【００２２】
操作パネル１１は利用者により操作される部位であって、上側筐体５に設けられている。本実施形態に係る操作パネル１１には、操作ボタン等の少なくとも１つの操作部１１Ａや利用者に情報を表示するする表示部１１Ｂ、及びパネルカバー１１Ｃ等が設けられている。
【００２３】
パネルカバー１１Ｃは、図７に示すように、操作パネル１１の一部を構成するとともに、上側筐体５に組み付けられている。つまり、パネルカバー１１Ｃと上側筐体５とは別部品である。パネルカバー１１Ｃは、画像形成装置１の組立工程時に上側筐体５に組み付けられる。
【００２４】
上側筐体５には原稿の画像を読み取る読取部１３が設けられている。読取部１３は、図２に示すように、ＣＩＳ（密着イメージセンサ）等の撮像素子１３Ａ、プラテン１３Ｂ、読取部カバー１３Ｃ及び原稿カバー１３Ｄ（図１参照）等を有する。
【００２５】
プラテン１３Ｂは、ガラス等の無色透明な板材であって、原稿が載置される部位である。読取部カバー１３Ｃは上側筐体５の一部である。当該読取部カバー１３Ｃは、プラテン１３Ｂを固定し、かつ、当該プラテン１３Ｂと共に原稿台を構成する。
【００２６】
原稿カバー１３Ｄは、原稿台（プラテン１３Ｂ）を覆う位置（図５の実線）と原稿台を開放する位置（図５の二点鎖線）との間で変位可能である。読取部カバー１３Ｃは、上側筐体５の本体部と別部品である。そして、プラテン１３Ｂが組み付けられる際に読取部カバー１３Ｃーが当該本体部に組み付け固定されて当該本体部と一体化される。
【００２７】
このため、パネルカバー１１Ｃと上側筐体５（読取部カバー１３Ｃ）との継ぎ目は、図７及び図２示すように、サイドカバー３Ａ側に向かって延びる溝部１４となっている。このため、上側筐体５（原稿台）上にコーヒ等の液体が誤って溢された場合には、当該液体は、溝部１４を伝ってサイドカバー３Ａ側に流れて溝部１４の延び方向端部に到達する。
【００２８】
溝部１４の延び方向端部に到達した液体は、図７の矢印Ａ１で示されるように、上側筐体５の側壁を伝って鉛直方向下方側に流れる。そこで、本実施形態では、図４に示すように、下側筐体３の内壁面側、つまりサイドカバー３Ａの電気基板７Ｂ側に排水ダクト部１５を設けている。
【００２９】
２．排水ダクト部の構造
排水ダクト部１５は、図７に示すように、入水口１５Ａ及び排水口１５Ｂを有するとともに、入水口１５Ａから入水した液体を排水口１５Ｂに導く。入水口１５Ａは、開口部３Ｃ側において鉛直方向上側に向けて開口した開口である。そして、当該開口、つまり入水口１５Ａは、少なくとも溝部１４から鉛直方向下方にずれた位置Ｐ１を含む範囲に設けられている。
【００３０】
なお、「溝部１４から鉛直方向下方にずれた位置Ｐ１を含む範囲」とは、溝部１４の直下位置Ｐ１、又は当該直下位置Ｐ１を含む前後方向の範囲をいう。本実施形態に係る「範囲」は、電気基板７Ｂの前方側端部を鉛直方向延長した位置から後方側端部を鉛直方向延長した位置までの範囲を含む範囲である。
【００３１】
排水口１５Ｂは、排水ダクト部１５に入水した液体を下側筐体３（サイドカバー３Ａ）外に排出するための開口である。当該開口、つまり排水口１５Ｂは、下側筐体３の側壁（本実施形態では、サイドカバー３Ａ）のうち操作パネル１１側、つまり前面側の側壁で開口している。なお、本実施形態では、フロントカバー３Ｄが閉じられた状態では、排水口１５Ｂはフロントカバー３Ｄにより覆われた状態となる。
【００３２】
仕切壁１５Ｃは、図４に示すように、下側筐体３（サイドカバー３Ａ）の内壁面側と電気基板７Ｂ側とを仕切る壁部材である。当該仕切壁１５Ｃは、図９及び図１０に示すように、入水口１５Ａから排水口１５Ｂに至る部位に設けられている。
【００３３】
入水口１５Ａから排紙口３Ｂに至る排水経路のうち、少なくとも鉛直方向に延びる部分は、図７に示すように、鉛直方向下方側に近づくほど経路断面積が縮小する漏斗状に構成されている。なお、本実施形態では、サイドカバー３Ａと仕切壁１５Ｃ（排水ダクト部１５）とは、樹脂にて一体成形されている。
【００３４】
３．本実施形態に係る画像形成装置（特に、排水ダクト部）の特徴
入水口１５Ａに入水した液体は、図７の矢印Ａ２で示されるように、排水口１５Ｂに集合するように排水口１５Ｂに導かれる。このとき、仕切壁１５Ｃが設けられているので、電気基板７Ｂが被水することを確実に抑制しながら、液体を下側筐体３外に排水することができる。したがって、液体が下側筐体３内に侵入してしまうことを抑制できる。
【００３５】
（第２実施形態）
１．排水ダクト部
本実施形態は、図１１に示すように、入水口１５Ａ側に液溜め部１５Ｄを設けたものである。液溜め部１５Ｄは、図１２に示すように、排水口１５Ｂ側に向けて水平方向（本実施形態では、前後方向）に延びる樋状の部位である。
【００３６】
すなわち、液溜め部１５Ｄは、「底部１５Ｅ」、「仕切壁１５Ｃ」及び「下側筐体３（サイドカバー３Ａ）の内壁面」により構成された矩形断面形状の部位である。底部１５Ｅは、図１３に示すように、入水口１５Ａに対向するように当該入水口１５Ａより鉛直方向下側に設けられた板状の部位である。
【００３７】
そして、液溜め部１５Ｄの深さ寸法のうち、その延び方向一端側の深さ寸法Ｄ１は延び方向他端側の深さ寸法Ｄ２より大きくなっている。なお、本実施形態では、底部１５Ｅが階段状に構成されていることにより、深さ寸法Ｄ１が深さ寸法Ｄ２より大きくなっている。
【００３８】
液溜め部１５Ｄの延び方向一端側とは、排水口１５Ｂ側をいう。つまり、排水口１５Ｂは、図１５に示すように、液溜め部１５Ｄの延び方向一端側（本実施形態では、前方側）に設けられている。
【００３９】
そして、排水口１５Ｂは、底部１５Ｅのうち延び方向一端側（本実施形態では、前方側）に設けられている。つまり、本実施形態に係る排水口１５Ｂは、図１４に示すように、サイドカバー３Ａの操作パネル１１側（前方側）において、鉛直方向下方側に向けて開口している。
【００４０】
排水口１５Ｂより鉛直方向下方側には、図１６に示すように、当該排水口１５Ｂから排水された液体を下方側に案内する壁部３Ｅが少なくとも１つ設けられている。液溜め部１５Ｄの延び方向一端側（本実施形態では、前方側）は、転向部材１５Ｆにより閉塞されている。
【００４１】
このため、樋状の液溜め部１５Ｄを流通して延び方向一端側（本実施形態では、前方側）に到達した液体、つまり、液溜め部１５Ｄから排水された液体は、転向部材１５Ｆによりを鉛直方向下方側に転向させられる。
【００４２】
転向部材１５Ｆ及び壁部３Ｅは、排水ダクト部１５（液溜め部１５Ｄを含む）及びサイドカバー３Ａと共に樹脂にて一体成形されている。なお、転向部材１５Ｆは、フロントカバー３Ｄが閉じられた状態では、フロントカバー３Ｄにより覆われた状態となる。
【００４３】
２．本実施形態に係る画像形成装置（特に、排水ダクト部）の特徴
本実施形態に係る排水ダクト部１５では、延び方向一端側の深さ寸法Ｄ１が延び方向他端側の深さ寸法Ｄ２より大きい液溜め部１５Ｄを有していることを特徴とする。
【００４４】
これにより、入水口１５Ａから排水ダクト部１５に入水した液体の一部を液溜め部１５Ｄにて保持しながら、順次、排水することが可能となる。したがって、排水口１５Ｂから排水可能な流量を上回る液体が溢れた場合であっても、液体が下側筐体内に侵入してしまうことを抑制できる。
【００４５】
本実施形態では、液溜め部１５Ｄから排水された液体を鉛直方向下方側に転向させる転向部材１５Ｆを有することを特徴とする。これにより、排水口１５Ｂに向かって液溜め部１５Ｄを流れる液体が、液溜め部１５Ｄの延び方向一端側（排水口１５Ｂ側）から飛散することを抑制できる。
【００４６】
なお、液溜め部１５Ｄに溜まっている液体量が少ない場合には、排水口１５Ｂに向かって流れる液体の流速が小さいので、当該流体は転向部材１５Ｆに衝突して転向することなく、排水口１５Ｂから排出される。
【００４７】
本実施形態では、液溜め部１５Ｄの延び方向一端側は、転向部材１５Ｆにより閉塞された構造となっており、さらに、底部１５Ｅのうち液溜め部１５Ｄの延び方向一端側に排水口１５Ｂが設けられていることを特徴とする。
【００４８】
これにより、転向部材１５Ｆを補強部として機能させることができるので、液溜め部１５Ｄの延び方向一端側において、下側筐体３の機械的強度が大きく低下することを抑制できる。
【００４９】
本実施形態では、排水口１５Ｂより鉛直方向下方側には、当該排水口１５Ｂから排水された液体を下方側に案内する壁部３Ｅが設けられていることを特徴とする。これにより、液体を飛散させることなく、壁部３Ｅを伝わせるようにして下方側に排水でき得る。
【００５０】
（第３実施形態）
本実施形態は、図１７に示すように、底部１５Ｅの傾斜角を第２実施形態に係る底部１５Ｅの傾斜角より大きな傾斜角としたものである。
【００５１】
（その他の実施形態）
第２実施形態及び第３実施形態に係る底部１５Ｅは階段状であったが、本発明はこれに限定されるものではなく、例えば、延び方向一端側の深さ寸法Ｄ１が延び方向他端側の深さ寸法Ｄ２より大きくなるように、滑らかに連続的して傾斜した形状であってもよい。
【００５２】
また、本発明は、特許請求の範囲に記載された発明の趣旨に合致するものであればよく、上述の実施形態に限定されるものではない。
【符号の説明】
【００５３】
１… 画像形成装置  ３… 下側筐体  ３Ａ… サイドカバー
３Ｂ… ジョイントカバー  ３Ｄ… フロントカバー
３Ｃ… 開口部  ３Ｅ… 壁部  ５… 上側筐体
７Ａ… 画像形成部  ７Ｂ… 電気基板  ９… ヒンジ部
１１… 操作パネル  １１Ａ… 操作部  １１Ｂ… 表示部
１１Ｃ… パネルカバー  １３… 読取部  １３Ａ… 撮像素子
１３Ｂ… プラテン  １３Ｃ… 読取部カバー  １３Ｄ… 原稿カバー
１４… 溝部  １５… 排水ダクト部  １５Ａ… 入水口
１５Ｂ… 排水口  １５Ｃ… 仕切壁  １５Ｄ… 液溜め部
１５Ｅ… 底部  １５Ｆ… 転向部材
【図１】
2016138991.tif 000003
【図２】
2016138991.tif 000004
【図３】
2016138991.tif 000005
【図４】
2016138991.tif 000006
【図５】
2016138991.tif 000007
【図６】
2016138991.tif 000008
【図７】
2016138991.tif 000009
【図８】
2016138991.tif 000010
【図９】
2016138991.tif 000011
【図１０】
2016138991.tif 000012
【図１１】
2016138991.tif 000013
【図１２】
2016138991.tif 000014
【図１３】
2016138991.tif 000015
【図１４】
2016138991.tif 000016
【図１５】
2016138991.tif 000017
【図１６】
2016138991.tif 000018
【図１７】
2016138991.tif 000019